(57)【特許請求の範囲】
【請求項１】
コード化パターンが印刷された専用紙に電子ペン又はスキャナで描かれたストロークに対応して電子ペン又はスキャナで生成され送信される記入情報を受信する端末装置であって、
記入情報を受信する受信手段と、
受信した記入情報に基づくストロークの経路に対応した、表示対象画像の連続する部分画像を、ディスプレイにスクロール表示させる処理手段と
を備えることを特徴とする端末装置。
【請求項２】
前記処理手段は、ストローク経路の始点がディスプレイの表示枠内に位置するように部分画像を表示し、この状態でストローク経路とディスプレイの表示枠の交点を求め、その交点をストローク経路が通るように部分画像をスライドさせることを特徴とする請求項１に記載の端末装置。
【請求項３】
コード化パターンが印刷された専用紙に電子ペン又はスキャナで描かれたストロークに対応して電子ペン又はスキャナで生成され送信される記入情報を受信する端末装置に、
記入情報を受信する受信手段、
受信した記入情報に基づくストロークの経路に対応した、表示対象画像の連続する部分画像を、ディスプレイにスクロール表示させる処理手段
として機能させることを特徴とするプログラム。
【請求項４】
前記処理手段は、ストローク経路の始点がディスプレイの表示枠内に位置するように部分画像を表示し、この状態でストローク経路とディスプレイの表示枠の交点を求め、その交点をストローク経路が通るように部分画像をスライドさせることを特徴とする請求項３に記載のプログラム。
【発明の詳細な説明】
【技術分野】
【０００１】
本発明は、電子ペン又はスキャナで専用紙上に描いたストロークに基づきディスプレイ上に表示対象画像の部分画像を表示する技術分野に属するものである。
【背景技術】
【０００２】
近年、「電子ペン」、「デジタルペン」などと呼ばれるペン型入力デバイスが登場しており（以下、本明細書では「電子ペン」と呼ぶ。）、その代表的なものとしてスウェーデンのアノト（Ａｎｏｔｏ）社が開発した「アノトペン（Ａｎｏｔｏ  ｐｅｎ）」が知られている（特許文献１参照）。このアノトペンは、所定のドットパターンが印刷された専用紙と共に使用されるもので、通常のインクタイプのペン先部に加えて、専用紙上のドットパターンを読み取るための小型カメラと、データ通信ユニットを搭載している。
【０００３】
利用者が専用紙上にアノトペンで文字などを書いたり、専用紙上に図案化されている画像にチェックマークを記入したりすると、ペンの移動に伴って小型カメラが専用紙に印刷されたドットパターンを検出し、利用者が書き込んだ文字、画像などの記入情報が取得される。この記入情報が、データ通信ユニットによりアノトペンから近くのパーソナルコンピュータや携帯電話などの端末装置に送信される。
【０００４】
このアノトペンを利用したシステムは、キーボードに代わる入力デバイスとして利用することが可能であり、上述のパーソナルコンピュータやキーボードの使用に抵抗がある利用者にとっては非常に使いやすい。そのため、現在、各種ビジネス上の書類、申込書、契約書等に記入されたデータをデジタル化する手法として、電子ペンを利用したシステムが普及しつつある（例えば特許文献２参照）。
【０００５】
一方、スタイラスにおける画面スクロール方法として、ストロークを描いた後に電子ペンでスタイラス上をタップすると、描いたストロークの時系列的に一番現在に近い点を軸に、タップしたポイントへ平行移動させるストローク方法や、ストロークを描いた後で電子ペンでスタイラス上の２点をタップすると、その２点間のベクトル量だけ、描いたストロークを平行移動させるストローク方法が知られている（例えば特許文献３）。
【０００６】
【特許文献１】特表２００３−５１１７６１号公報
【特許文献２】特開２００４−１５３６１２号公報
【特許文献３】特開平６−１４９４６４号公報
【発明の開示】
【発明が解決しようとする課題】
【０００７】
上記アノト社の技術に見られるような電子ペンを用いると、所定のドットパターンが印刷された専用紙に文字や絵柄などを記入し、その記入情報に対応した文字や絵柄を端末装置に送信してディスプレイに表示させることができる。しかしながら、用紙サイズが端末装置の表示画面サイズよりも大きい場合には、記入されたストローク全体が表示されない場合を生じるという問題がある。
【０００８】
このようなストロークの表示位置を制御する方法として、例えば上記の特開平６−１４９４６４号公報（特許文献３）には、電子ペンでタップした２点間のベクトル量だけストロークを平行移動させる方法が開示されている。ところが、この特許文献３に記載の方法では、記入したストロークを移動させるために電子ペンで２点をタップして行われるスクロールは、２点間の直線的な画像移動であり、複雑な経路をたどるスクロールはできなかった。
【０００９】
本発明は、このような問題点に鑑みてなされたものであり、その目的とするところは、表示対象画像の部分画像を任意に設定された経路に応じて自動的にスクロールして表示させる機能を有する端末装置及びそのプログラムを提供することにある。
【課題を解決するための手段】
【００１０】
本発明に係る端末装置は、コード化パターンが印刷された専用紙に電子ペン又はスキャナで描かれたストロークに対応して電子ペン又はスキャナで生成され送信される記入情報を受信する端末装置であって、記入情報を受信する受信手段と、受信した記入情報に基づくストロークの経路に対応した、表示対象画像の連続する部分画像を、ディスプレイにスクロール表示させる処理手段とを備えることを特徴とする。
【００１１】
この端末装置によれば、利用者が専用紙に電子ペン又はスキャナでストロークを描くと、電子ペン又はスキャナによって記入情報が端末装置に送信され、端末装置は、受信手段によって、電子ペン又はスキャナから送られてきた記入情報を受信し、処理手段によって、受信した記入情報に基づくストロークの経路に対応した、表示対象画像の連続する部分画像を、ディスプレイにスクロール表示させる。したがって、専用紙に任意の経路をストロークで描けば、そのストローク経路に応じて、表示対象画像を移動させながらその部分画像をディスプレイに表示させることができる。
【００１２】
この端末装置において、前記処理手段は、ストローク経路の始点がディスプレイの表示枠内に位置するように部分画像を表示し、この状態でストローク経路とディスプレイの表示枠の交点を求め、その交点をストローク経路が通るように部分画像をスライドさせるとよい。これにより、ストローク経路に沿って表示対象画像を移動させて部分画像を表示することができる。
【００１３】
また、本発明に係るプログラムは、コード化パターンが印刷された専用紙に電子ペン又はスキャナで描かれたストロークに対応して電子ペン又はスキャナで生成され送信される記入情報を受信する端末装置に、記入情報を受信する受信手段、受信した記入情報に基づくストロークの経路に対応した、表示対象画像の連続する部分画像を、ディスプレイにスクロール表示させる処理手段として機能させることを特徴とする。
【００１４】
また、上記プログラムにおいて、処理手段は、ストローク経路の始点がディスプレイの表示枠内に位置するように部分画像を表示し、この状態でストローク経路とディスプレイの表示枠の交点を求め、その交点をストローク経路が通るように部分画像をスライドさせるとよい。
【００１５】
このプログラムにより本発明に係る端末装置を構成させることができる。
【発明の効果】
【００１６】
本発明に係る端末装置及びそのプログラムによれば、表示対象画像のサイズが表示サイズよりも大きい場合に、専用紙に記入されたストローク情報に基づいて部分画像を自動的にスクロールして表示させるので、一々ペン動作をしなくても、効率よく表示対象画像を表示させることができる。
【発明を実施するための最良の形態】
【００１７】
以下、図面を参照しながら、本発明の好適な実施形態について説明する。
【００１８】
［画像表示システムのシステム構成］
図１は、本実施形態の端末装置３を用いた画像表示システム４のシステム構成図を示している。図１に示すように、この画像表示システム４では、電子ペン１で専用紙２にストローク（ペン・ダウンからペン・アップまでの筆跡）を描くと、端末装置３は、ディスプレイに、表示対象画像の部分画像をスクロール表示するようになっている。ここで使用する専用紙２には、ドットパターン（コード化パターン）が印刷されている。また、電子ペン１は、通常のインクペンと同様のペン先部６を備えており、利用者が通常のインクペンと同様にペン先部６によって専用紙２にストロークを書くと、電子ペン１は、ペン先部６の移動した軌跡（筆跡）に沿って、専用紙２に印刷されたドットパターンを局所的、連続的に読み取り、専用紙２におけるその局所位置の座標を演算し、その位置座標データとともに、電子ペン１を識別する電子ペン識別ＩＤ、筆記された時刻情報（タイムスタンプ）等を関連付ける。
【００１９】
［専用紙］
まず、本画像表示システム４で使用する専用紙２について説明する。専用紙２は、用紙にドットパターンが印刷され、さらにその上に表示対象画像である絵画Ａが縮小されて印刷されたものである（参照図７：専用紙２の絵画図示は省略）。ドットパターンは、赤外線を吸収するカーボンを含んだインキにより印刷される。また、縮小印刷された絵画Ａの図案は、カーボンを含まない通常のインキにより印刷される。これらのドットパターンと図案とは用紙に対して同時に印刷してもよいし、どちらかを先に印刷してもよい。
【００２０】
［ドットパターン］
続いて、専用紙２に印刷されるドットパターンについて説明する。電子ペン１によって読み取られるドットパターンは、上述のアノト技術を採用している。図２は、専用紙２に印刷されるドットパターンのドットの位置とそのドットが変換される値との関係を説明する図である。図２に示すように、ドットパターンの各ドットは、その位置によって所定の値に対応付けられている。すなわち、ドットの位置を格子の基準位置（縦線及び横線の交差点：格子点）から上下左右のどの方向にシフトされているかによって、各ドットは、０〜３の値に対応付けられている。また、各ドットの値は、さらに、Ｘ座標用の第１ビット値及びＹ座標用の第２ビット値に変換される。このようにして対応付けられた情報の組合せにより、ドットパターンは、専用紙２における位置座標が決定されるよう構成されている。
【００２１】
図３（ａ）は、専用紙２における、ある局所部のドットパターンの配列を示している。図３（ａ）に示すように、縦横約２mmの範囲内に６×６個のドットが、専用紙２上のどの部分から６×６ドットを取ってもユニークなパターンとなるように配置されている。これら３６（＝６×６）個のドットにより形成されるドットパターンは位置座標（例えば、そのドットパターンがその専用紙２上のどの位置にあるのか）を保持している。図３（ｂ）は、図３（ａ）に示す各ドットを、格子の基準位置からのシフト方向によって、図２に示す規則性に基づいて対応づけられた値に変換したものである。この変換は、ドットパターンの画像を撮影する電子ペン１によって行われる。
【００２２】
［電子ペン］
次に、電子ペン１について説明する。図４に示すように、電子ペン１は、その筐体７の内部に、プロセッサ８、メモリ９、スピーカ１０、データ通信ユニット１１、バッテリー１２、ＬＥＤ１３、ＣＭＯＳカメラ１４、クロック１５、圧力センサ１６、及びインクカートリッジ１７を備える。インクカートリッジ１７の先端は、ペン先部６となっており、利用者は、電子ペン１のペン先部６を専用紙２に当接させながらストローク等を描くことができる。
【００２３】
ＬＥＤ１３とＣＭＯＳカメラ１４は、電子ペン１のペン先部６付近に取り付けられており、筐体７におけるＬＥＤ１３及びＣＭＯＳカメラ１４と対向する部分には、開口部１８が形成されている。ＬＥＤ１３は、専用紙２上のペン先部６近傍（領域１９：図１参照）に向けて赤外線を照明する。領域１９は、ペン先部６が専用紙２に接触する位置とはわずかにずれている。ＣＭＯＳカメラ１４は、ＬＥＤ１３によって照明された領域１９内におけるドットパターンを撮影し、そのドットパターンの画像データをプロセッサ８に供給する。
【００２４】
ここで、カーボンは赤外線を吸収するため、ＬＥＤ１３によって照射された赤外線は、ドットに含まれるカーボンによって吸収される。そのため、ドットの部分は、赤外線の反射量が少なく、ドット以外の部分は赤外線の反射量が多い。したがって、ＣＭＯＳカメラ１４の撮影により、赤外線の反射量の違いから閾値を設けることによって、カーボンを含むドットの領域とそれ以外の領域を区別することができる。たとえ撮影領域に絵画Ａの図案が印刷されてあったとしても、図案のインクには、カーボンが含まれていないため、ドットパターンを認識することができる。なお、ＣＭＯＳカメラ１４による撮影領域は、図３（ａ）に示すような約２mm×約２mmの大きさを含む範囲であり、ＣＭＯＳカメラ１４の撮影は毎秒７５回行われる。
【００２５】
バッテリー１２は電子ペン１内の各部品に電力を供給するためのものであり、例えば電子ペン１のキャップ（図示せず）の脱着により電子ペン１自体の電源のオン／オフを行うよう構成させてもよい。圧力センサ１６は、利用者が電子ペン１により専用紙２上に文字などを書く際にペン先部６に与えられる圧力、即ち筆圧を検出し、プロセッサ８へ供給する。
【００２６】
プロセッサ８は、圧力センサ１６から与えられる筆圧データに基づいて、ＬＥＤ１３及びＣＭＯＳカメラ１４のスイッチのオン／オフを切換える。即ち、利用者が電子ペン１で専用紙２上に文字などを書くと、ペン先部６には筆圧がかかり、圧力センサ１６によって所定値以上の筆圧が検出されたときに、プロセッサ８は、利用者が記入を開始したと判定して、ＬＥＤ１３及びＣＭＯＳカメラ１４を作動させる。
【００２７】
プロセッサ８は、利用者の記入が行われる間、ＣＭＯＳカメラ１４によって供給される画像データのドットパターンから、利用者が記入するストロークの専用紙２０上におけるＸ，Ｙ座標の位置座標（単に「座標データ」とも呼ぶ）を連続的に演算していく。すなわち、プロセッサ８は、ＣＭＯＳカメラ１４によって供給される、図３（ａ）に示されるようなドットパターンの画像データを図３（ｂ）に示すデータ配列に変換し、さらに、所定の規則に従ってＸ座標ビット値・Ｙ座標ビット値に変換して、そのデータ配列から所定の演算方法によりＸ，Ｙ座標データを演算する。またプロセッサ８は、専用紙２の頁ごと或いは種類ごとに設定されているドットパターンアドレスをドットパターンの配列から演算する。そしてプロセッサ８は、クロック１５から発信される現在時刻（タイムスタンプ）、筆圧データ及びＸ，Ｙ座標データとを関連付ける。なお、専用紙２における６×６のドットパターンは、その専用紙２内で重複することはないため、利用者が電子ペン１で必要事項を記入すると、記入された位置が専用紙２のどの位置に当たるかを、プロセッサ８による座標演算により特定することができる。
【００２８】
メモリ９には、電子ペン１を識別するための電子ペン識別ＩＤが記憶されており、また、プロセッサ８によって演算される座標データが時刻情報（タイムスタンプ）と共に時系列順に配列されて記憶されていく。スピーカ１０は、プロセッサ８によって指示された内容を音声で出力する。
【００２９】
そして、データ通信ユニット１１は、電子ペン識別情報と、時刻情報（タイムスタンプ）と、筆圧データと、ドットパターンアドレスと、Ｘ，Ｙ座標データとを関連付けて、記入情報として端末装置３へ送信する。データ通信ユニット１１による送信は、 Bluetooth（登録商標）方式の無線送信によって、端末装置３へ向けて即時的かつ逐次的に行われる。
【００３０】
［端末装置の構成］
次に、端末装置３について図５を参照して説明する。図５は、端末装置３の機能ブロック図である。図示の如く端末装置３は、機能的には、電子ペン１とのデータ通信が可能なアンテナ装置や受信回路等からなる受信手段３１、ＲＯＭやＲＡＭ、ハードディスクといったメモリからなる記憶手段３２、ＣＰＵ等のプロセッサからなる処理手段３３、ディスプレイ等からなる表示手段３４、マウスやキーボードといった入力手段３５、現在時刻を発信するクロック３６、及び送信手段３７を備えるパーソナルコンピュータ等で構成される。そして、端末装置３は、電子ペン１から受信した記入情報を用いて専用アプリケーションを実行することで所定の処理を行う。
【００３１】
［専用アプリケーション］
続いて、端末装置３にインストールされる専用アプリケーション（プログラム）４０について図６を参照して説明する。図６は、専用アプリケーション４０のモジュール構成を示す。図６に示すように、専用アプリケーション４０は、受信モジュール４１と、記憶モジュール４２と、処理モジュール４３とを有している。
【００３２】
受信モジュール４１は、受信手段３１に対して、各電子ペン１から送信された特定のプロトコルで作成された記入情報を受信させる機能を有し、端末装置３にアンテナ、受信回路等によって受信手段３１を構成させるモジュールである。
【００３３】
記憶モジュール４２は、専用紙２におけるドットパターンアドレスに対応させて、表示対象画像である絵画Ａを表示手段３４に表示するための画像データやウィンドウ情報、各種設定情報、また、専用紙２のドットパターンアドレスと、表示対象画像に対する専用紙２の縮尺情報との対応関係を保持して記憶手段３２に記憶させたり、電子ペン１から取得した記入情報を所定の形式で記憶させたりするモジュールであって、端末装置３に記憶手段３２を構成させるモジュールである。
【００３４】
処理モジュール４３は、表示手段３４に対して、種々の形態で専用紙２に描かれたストロークに基づいて、表示対象画像をスクロールしながら表示させる機能を有し、端末装置３にプロセッサ等によって処理手段３３を構成させるモジュールである。
【００３５】
［専用アプリケーションの実行による端末装置の表示処理機能］
端末装置３にインストールされた専用アプリケーション４０で行う処理は、利用者が電子ペン１で任意に描いたストロークに基づいて、表示手段３４のディスプレイに表示対象画像の部分画像を自動的にスクロールして表示させる処理である。この専用アプリケーション４０の実行により端末装置３が行う処理の概要を図７〜図１０により説明する。
【００３６】
図７は、表示対象画像である絵画Ａとそれに対応する専用紙２を示す図である。図７に示すように、専用紙２は、絵画Ａよりもサイズが小さく、あらかじめ専用紙２のサイズと絵画Ａのサイズは縮尺情報で対応付けられており、縮尺情報は、専用紙２のドットパターンアドレス及び絵画Ａの画像データに関連付けられて、端末装置３の記憶手段３２に記憶されている。絵画Ａは、端末装置３のディスプレイの表示枠Ｄよりも大きＬものを想定しており、専用紙２としては絵画Ａよりも小さいサイズのものが使用される。
【００３７】
図８は、専用紙２に描かれるストロークＳと、ディスプレイにより表示対象画像である絵画Ａを表示する表示枠Ｄと、ストロークＳに対応した表示対象画像上のストローク経路Ｓａとを示す図である。図８に示すように、スクロール開始前において、処理手段３３はは、ディスプレイに表示される絵画Ａの初期位置は、絵画Ａの左上付近の領域に設定されている。この状態において、電子ペン１で専用紙２にストロークＳ（ペン・ダウンからペン・アップまでに描かれる線分）が記入され、電子ペン１からストロークＳの記入情報が端末装置３へ Bluetooth（登録商標）方式で無線送信されると、端末装置３では、受信手段３１が記入情報を受信し、処理手段３３に記入情報を伝送する。処理手段３３は、受信した記入情報を記憶手段３１に記憶させるとともに、記入情報にあるドットパターンアドレスに関連付けられた縮尺情報を記憶手段３２から読み出し、専用紙２に描かれたストロークＳの絵画Ａ上における対応位置となるストローク経路Ｓａを演算する。
【００３８】
そして、処理手段３３は、図９に示すように、ストローク経路Ｓａの始点がディスプレイの表示枠Ｄの左上端から（Ｘ１，Ｙ１）だけ内側の座標に位置するように部分画像を表示させる。そして、処理手段３３は、この状態での、ストローク経路Ｓａとディスプレイの表示枠Ｄとの交点Ｔを求める。
【００３９】
さらに、図１０（ａ）〜（ｃ）に示すように、処理手段３３は、ストローク経路Ｓａとディスプレイの表示枠Ｄとの交点Ｔを、ストローク経路Ｓａが通るように部分画像をスライドさせていき、ストローク経路Ｓａの終点が交点Ｔに達した時点で部分画像のスライドを終了する。このようにして、専用アプリケーション４０がインストールされた端末装置３によって、表示手段３４のディスプレイに表示される絵画Ａの部分画像が自動スクロールされる。
【００４０】
［画像表示システムによるディスプレイ表示の処理フロー］
次に、本実施形態の画像表示システム４により行われる処理について、図１１のフローチャートを参照しつつ説明する。
【００４１】
電子ペン１は、利用者が電子ペン１を専用紙２にペン・ダウンしてストロークを描き、ペン・アップするまでの間、そのストロークに対応する記入情報を生成して端末装置３へ送信する。すなわち、利用者がストロークを描くために電子ペン１のペン先部６を専用紙２に接触（ペン・ダウン）させると、電子ペン１は圧力センサ１６によって所定値以上の筆圧が検出されたことにより専用紙２への接触を検知し（ステップＳ１１）、ＬＥＤ１３によって赤外線を照射しつつＣＭＯＳカメラ１４によってドットパターンを撮像し、プロセッサ８によって、撮像されたドットパターンの画像データから専用紙２への接触位置における座標データ及びドットパターンアドレスを演算する。そしてプロセッサ８は、ドットパターンアドレス、座標データ、筆圧データ、及び現在時刻表示（タイムスタンプ）を関連付けた記入情報を生成し、その記入情報を、データ通信ユニット１１を介して端末装置３へ送信させる（ステップＳ１２）。
【００４２】
このように電子ペン１は、利用者が専用紙２にストロークＳを描き続けている間、そのストロークＳの記入情報を生成し続け、端末装置３へ送信し続ける。そして、利用者が電子ペン１を専用紙２から離脱（ペン・アップ）させると、プロセッサ８は、圧力センサ１６により検出される筆圧が所定値未満となったことを認識し（ステップＳ１３）、端末装置３への送信を中断する。利用者が続けて次の自動スクロール用のストロークを描くために接触（ペン・ダウン）させた場合（ステップＳ１４；イエス）は、そのストロークの記入情報を再び生成して端末装置３へ送信するプロセス（ステップＳ１２）を繰り返す。その一方、利用者が電子ペン１でストロークを描かない場合は、ペン・ダウンが検知されないため（ステップＳ１４；ノー）、電子ペン１から端末装置３への記入情報の送信はそのまま中止されることになる。
【００４３】
端末装置３においては、処理手段３３は、専用アプリケーションを起動して記憶手段３２に記憶されたウィンドウ情報や各種設定情報を読み出し、専用紙２に描かれるストロークに対応して絵画Ａの部分画像を表示手段３４に表示できる初期状態、すなわち図８に示すように、絵画Ａの左上付近の領域を表示させる（ステップＳ１５）。
【００４４】
その状態で、端末装置３が、電子ペン１によって送信された記入情報を受信手段３１により受信する（ステップＳ１６）と、処理手段３３は、受信した記入情報を記憶手段３２に記憶させるとともに、絵画Ａの部分画像をストローク経路Ｓａに沿って連続的に表示する自動スクロール処理を行う（ステップＳ１７）。
【００４５】
すなわち、処理手段３３は、記入情報からドットパターンアドレスを抽出し、そのドットパターンアドレスに関連付けられた縮尺情報を記憶手段３２から読み出し、記入情報の座標データ及び縮尺情報に基づいて、専用紙２に描かれたストロークＳの絵画Ａ上における対応位置となるストローク経路Ｓａを演算する。そして、処理手段３３は、図９に示すように、ストローク経路Ｓａの始点がディスプレイの表示枠Ｄの左上端から（Ｘ１，Ｙ１）だけ内側の座標に位置するように部分画像を表示させるとともに、ストローク経路Ｓａとディスプレイの表示枠Ｄとの交点Ｔを求め、さらに、図１０（ａ）〜（ｃ）に示すように、処理手段３３は、ストローク経路Ｓａとディスプレイの表示枠Ｄとの交点Ｔを、ストローク経路Ｓａが通るように部分画像をスライドさせていき、ストローク経路Ｓａの終点が交点Ｔに達した時点で部分画像のスライドを終了する。
【００４６】
そして、処理手段３３は、利用者によってアプリケーションの終了操作が行われていないかどうかを判定し（ステップＳ１８）、終了操作を検知していない場合（ステップＳ１８；ノー）は、ステップＳ１６に戻り、記入情報受信の待機状態となる。一方、処理手段３３は、利用者による終了操作を検知すると（ステップＳ１８；イエス）、自動スクロールのアプリケーションを終了させる。
【００４７】
［本実施形態の作用効果］
この端末装置３を利用した画像表示システム４によれば、利用者が電子ペン１で専用紙２に任意の形状のストロークＳを描くと、電子ペン１は、描かれたストロークＳの位置座標を所定間隔で演算し、当該位置座標を含む記入情報を生成し、即時的かつ逐次的に当該記入情報を端末装置３へ送信する。そして、端末装置３は、電子ペン１から記入情報を取得し、当該記入情報に基づいて絵画Ａ上で拡大されたストローク経路Ｓａの始点がディスプレイの表示枠Ｄの左上端から（Ｘ１，Ｙ１）だけ内側に位置するように部分画像を表示し、この状態におけるストローク経路Ｓａとディスプレイの表示枠Ｄの交点Ｔを求め、その交点Ｔをストローク経路Ｓａが通るように部分画像をスライドさせることによって、ストロークＳに沿って絵画Ａの部分画像を自動的にスクロールして表示する。したがって、絵画Ａが縮小して印刷された専用紙２上で、拡大して端末装置３のディスプレイに表示させたい領域に沿って電子ペン１でストロークＳを描くことにより、利用者は、表示させたい領域を端末装置３のディスプレイで鑑賞することができる。
【００４８】
［他の実施形態］
なお、本発明は、上記実施形態に限られない。
【００４９】
上記実施形態では、専用紙２に文字や絵柄を描く装置として電子ペン１を使用したが、インクカートリッジの付いていないペン型スキャナを用いてもよい。また、表示対象画像は絵画に限らず、動植物の画像や、地図等であってもよい。また、処理手段３３は、表示手段３４にスクロール表示させている間に、次のストロークＳの記入情報を受信して処理する場合には、現段階で行っているスクロール表示を中止し、即座に次のストロークＳに対応するストローク経路Ｓａに沿ったスクロール表示を開始させるようにするとよい。
【図面の簡単な説明】
【００５０】
【図１】本発明の実施形態に係る画像表示システムのシステム構成図である。
【図２】専用紙に印刷されたドットパターンによる情報の表現方法の説明図である。
【図３】（ａ）は、ドットパターンを模式的に示し、（ｂ）は、それに対応する情報の例を示す説明図である。
【図４】図１に示す電子ペンを模式的に示す説明図である。
【図５】図１に示す端末装置の機能ブロック図である。
【図６】端末装置における専用アプリケーションのモジュール構成図である。
【図７】表示対象画像とそれに対応する専用紙を示す説明図である。
【図８】専用紙上に描いたストロークと表示対象画像上で対応するストロークとの関係を示す説明図である。
【図９】ストロークの始点がディスプレイの表示枠の左上端から所定距離だけ内側に位置するように部分画像を表示した状態を示す説明図である。
【図１０】表示対象画像の部分画像を自動的にスクロールさせてディスプレイに表示する様子を示す説明図である。
【図１１】実施形態の画像表示システムにより行うディスプレイ表示処理を示すフローチャートである。
【符号の説明】
【００５１】
１…電子ペン、２…専用紙、３…端末装置、４…画像表示システム、６…ペン先部、７…筐体、８…プロセッサ、９…メモリ、１０…スピーカ、１１…データ通信ユニット、１２…バッテリー、１３…ＬＥＤ、１４…ＣＭＯＳカメラ、１５…クロック、１６…圧力センサ、１７…インクカートリッジ、１８…開口部、１９…領域、３１…受信手段、３２…記憶手段、３３…処理手段、３４…表示手段、３５…入力手段、３６…クロック、３７…送信手段、４０…専用アプリケーション（プログラム）、４１…受信モジュール、４２…記憶モジュール、４３…処理モジュール、Ａ…絵画、Ｄ…ディスプレイの表示枠、Ｓ…ストローク、Ｓａ…ストローク経路、Ｔ…交点。
【図１】
0005041340.tif 000002
【図２】
0005041340.tif 000003
【図３】
0005041340.tif 000004
【図４】
0005041340.tif 000005
【図５】
0005041340.tif 000006
【図６】
0005041340.tif 000007
【図７】
0005041340.tif 000008
【図８】
0005041340.tif 000009
【図９】
0005041340.tif 000010
【図１０】
0005041340.tif 000011
【図１１】
0005041340.tif 000012